(57)【要約】【課題】サブフレーム表示を行う表示装置の表示品位向上と消費電力低減を図る。【解決手段】入力データから１フレームを分割して得られる複数のサブフレームそれぞれに対応するサブフレームデータを生成し、各サブフレームデータの表示の総和によって上記入力データの表示を行う表示装置であって、複数の照明エリアを有し、入力データに応じて各照明エリアの光量を個別に調整できるバックライトと、各照明エリアに対応する表示エリアの入力データから該照明エリアの光量を決定するとともに該照明エリアの光量を調整するバックライト制御部と、この決定された光量に基づいて上記各サブフレームデータを生成するサブフレームデータ生成部と、を備える。【選択図】図１
2008064997.tif 000002
【特許請求の範囲】
【請求項１】
入力データから、１フレームを分割して得られる複数のサブフレームそれぞれに対応するサブフレームデータを生成し、各サブフレームデータの表示の総和によって上記入力データの表示を行う表示装置であって、
複数の照明エリアを有し、入力データに応じて各照明エリアの光量を個別に調整できるバックライトと、各照明エリアに対応する表示エリアの入力データから該照明エリアの光量を決定するとともに該照明エリアの光量を調整するバックライト制御部と、この決定された光量に基づいて上記各サブフレームデータを生成するサブフレームデータ生成部と、を備えることを特徴とする表示装置。
【請求項２】
上記バックライト制御部は、各表示エリアの入力データから求められる最大の表示輝度に基づいて上記光量を決定することを特徴とする請求項１記載の表示装置。
【請求項３】
上記バックライト制御部は、各照明エリアにおける１フレーム期間の光量を決定し、これに基づいて該照明エリアにおける１フレーム期間の光量を調整することを特徴とする請求項１記載の表示装置。
【請求項４】
上記バックライト制御部は、上記各照明エリアにおける１フレーム期間の光量を、その照明輝度を一定としつつ発光時間を変えることによって調整することを特徴とする請求項３記載の表示装置。
【請求項５】
上記バックライト制御部は、各照明エリアの１フレーム期間の光量を最大にする場合は１フレーム期間中これを発光状態とするが、それ以外の場合には、１フレーム期間内においてこれを非発光状態とした後に発光状態にさせるか、あるいは１フレーム期間内においてこれを発光状態にした後に非発光状態とすることを特徴とする請求項４記載の表示装置。
【請求項６】
１つのフレームを第１および第２のサブフレームに分割し、
上記バックライト制御部は、各照明エリアの１フレーム期間の光量を最大にする場合以外は第１のサブフレームの少なくとも一部期間を非発光状態とし、
上記サブフレームデータ生成部は、第１のサブフレームが示す表示輝度が第２のサブフレームが示す表示輝度以下になるように第１および第２のサブフレームデータを生成することを特徴とする請求項５記載の表示装置。
【請求項７】
請求項１〜６のいずれか１項に記載の表示装置を備えることを特徴とする液晶表示装置。
【発明の詳細な説明】
【技術分野】
【０００１】
本発明は、フレーム表示を、複数のサブフレームの表示の総和によって行う表示装置（例えば、液晶表示装置）に関する。
【背景技術】
【０００２】
特許文献１には、１フレームを複数のサブフレーム（例えば、第１サブフレームと第２サブフレーム）に分割し、各サブフレームの表示の総和によって入力データを表示する液晶表示装置が開示されている。この従来の液晶表示装置の表示方法を図７（ａ）〜（ｃ）に示す。なお、入力データは、最小表示輝度０（光透過率０パーセント）〜最大表示輝度１００（光透過率１００パーセント）を想定しているものとする。
【０００３】
図７（ａ）に示すように、入力データが表示輝度８０（光透過率８０パーセント）を想定している場合、バックライトは１フレーム期間中同じ状態で点灯させ（１フレームで光量１００）、第１サブフレームでは表示輝度６０（光透過率６０パーセント）、第２サブフレームでは表示輝度１００（光透過率１００パーセント）とする。また図７（ｂ）に示すように、入力データが表示輝度６０（光透過率６０パーセント）を想定している場合、バックライトは１フレーム期間中同じ状態で点灯させ（１フレームで光量１００）、第１サブフレームでは表示輝度２０（光透過率２０パーセント）、第２サブフレームでは表示輝度１００（光透過率１００パーセント）とする。また図７（ｃ）に示すように、入力データが表示輝度１０（光透過率１０パーセント）を想定している場合、バックライトは１フレーム期間中同じ状態で点灯させ（１フレームで光量１００）、第１サブフレームでは表示輝度０（光透過率０パーセント）、第２サブフレームでは表示輝度２０（光透過率２０パーセント）とする。
【０００４】
なお、特許文献２には、個別制御可能な照射エリアが複数設けられたバックライトを備え、各照射エリアに対応する表示エリアの入力データに応じて、当該照射エリアを制御する液晶表示装置が開示されている。
【特許文献１】特開２００５−１７３５７３号（２００５年６月３０日公開）
【特許文献２】特開２００２−９９２５０号（２００２年４月５日公開）
【発明の開示】
【発明が解決しようとする課題】
【０００５】
しかしながら、サブフレーム表示では、ほとんどの入力データに対していずれかのサブフレーム（上記の例では第１サブフレーム）が暗サブフレームとなるにも関わらずバックライトの状態が１フレーム中一定であるため、光漏れ等によってこの暗サブフレームが浮いてしまい、サブフレーム表示の効果が低減するという問題がある。さらに、暗サブフレーム、明サブフレームに関わらずバックライトの状態が一定であるため、無駄な電力が消費されるという問題もある。
【０００６】
本発明は、上記課題に鑑みてなされたものであり、サブフレーム表示を行う表示装置の表示品位向上と消費電力低減をその目的とする。
【課題を解決するための手段】
【０００７】
本発明の表示装置は、入力データから１フレームを分割して得られる複数のサブフレームそれぞれに対応するサブフレームデータを生成し、各サブフレームデータの表示の総和によって上記入力データの表示を行う表示装置であって、複数の照明エリアを有し、入力データに応じて各照明エリアの光量を個別に調整できるバックライトと、各照明エリアに対応する表示エリアの入力データから該照明エリアの光量を決定するとともに該照明エリアの光量を調整するバックライト制御部と、この決定された光量に基づいて上記各サブフレームデータを生成するサブフレームデータ生成部と、を備えることを特徴とする。
【０００８】
上記構成によれば、各照明エリアの光量を、対応する表示エリアを表示できるだけの値に調整し、この調整した値に基づいて各サブフレームデータを生成できる。すなわち、表示エリアの入力データに応じて対応する照明エリアの光量を下げながらサブフレーム表示を行うことが可能となる。これにより、光漏れ等によって暗サブフレームが浮いてサブフレーム表示の効果が低減するといった問題を解消できるという効果が得られる。加えて、照明エリアの光量を下げることで消費電力の低減も図ることができるという効果も奏する。また、サブフレーム表示による効果、例えば、最大輝度やコントラスト比の低下を極力抑えつつ中間調表示における白浮きや動画ボケを改善することができるといった効果も奏する。
【０００９】
本表示装置においては、上記バックライト制御部は、各表示エリアの入力データから求められる最大の表示輝度に基づいて上記光量を決定することが好ましい。これにより、各表示エリアにおいて、それに含まれる高輝度部分を無理なく表現しつつ上記の効果を得ることができる。
【００１０】
本表示装置においては、上記バックライト制御部は、各照明エリアにおける１フレーム期間の光量を決定し、これに基づいて該照明エリアにおける１フレーム期間の光量を調整することが好ましい。こうすれば、上記各照明エリアにおける１フレーム期間の光量を、その照明輝度を一定としつつ発光時間を変えることによって調整することができるようになる。例えば、各照明エリアの１フレーム期間の光量を最大にする場合は１フレーム期間中これを発光状態とするが、それ以外の場合には、１フレーム期間内においてこれを（連続して）非発光状態とした後に（連続して）発光状態にさせるか、あるいは１フレーム期間内においてこれを（連続して）発光状態にした後に（連続して）非発光状態とする。これにより、暗サブフレームではその一部期間または全期間において、対応する照明エリアを非発光状態とすることができ、上記の効果をより高めることができる。
【００１１】
本表示装置においては、１つのフレームを第１および第２のサブフレームに分割し、上記バックライト制御部は、各照明エリアの１フレーム期間の光量を最大にする場合以外は第１のサブフレームの少なくとも一部期間を非発光状態とし、上記サブフレームデータ生成部は、第１のサブフレームが示す表示輝度が第２のサブフレームが示す表示輝度以下になるように第１および第２のサブフレームデータを生成しても良い。これにより、１サブフレームを２つのサブフレームに分割するサブフレーム表示において上記のような効果を得ることができる。
【００１２】
また、本液晶表示装置は上記表示装置を備えることを特徴とする。
【発明の効果】
【００１３】
以上のように、本発明の表示装置によれば、表示エリアの入力データに応じて対応する照明エリアの光量を下げながらサブフレーム表示を行うことが可能となる。これにより、光漏れ等によって暗サブフレームが浮いてサブフレーム表示の効果が低減するといった問題を解消できるという効果が得られる。加えて、照明エリアの光量を下げることで消費電力の低減も図ることができるという効果も奏する。
【発明を実施するための最良の形態】
【００１４】
本実施の形態を図１〜図６（ａ）・（ｂ）に基づいて説明すれば、以下のとおりである。図１は本液晶表示装置の構成を示すブロック図である。同図に示すように、本液晶表示装置８０は、エリアアクティブバックライト２９と、液晶パネル１０と、ゲートドライバ１９と、ソースドライバ３と、制御部９とを備える。なお、液晶パネル１０と、各ドライバ（ソースドライバ３およびゲートドライバ１９）とが一体化されていても構わない。
【００１５】
エリアアクティブバックライト２９は、図３に示すように、複数の照明エリアＬＡＲを備え、各照明エリアＬＡＲは、その１フレームあたりの光量が個別に調整できるように構成されている。図２に示すように、液晶パネル１０は、その表示部に、エリアアクティブバックライト２９の各照明エリアＬＡＲに対応する表示エリアＨＡＲを複数備える。例えば、液晶パネル１０の表示エリアＨＡＲ１は、エリアアクティブバックライト２９の照明エリアＬＡＲ１に対応している。
【００１６】
本液晶表示装置８０の制御部９は、メモリ６、バックライト制御部１５、サブフレームデータ生成部２２、サブフレームデータ選択部２５、およびフィールドカウンタ部３５を備える。バックライト制御部１５およびサブフレームデータ生成部２２には、フレームデータ（入力データ）ＤＦが入力される。なお、フレームデータＤＦはＲＧＢデータである。また、図示していないが、制御部９には、垂直同期信号、水平同期信号およびドットクロック等が入力されるタイミング制御部が設けられており、該タイミング制御部は、バックライト制御部１５、サブフレームデータ生成部２２、サブフレームデータ選択部２５、およびゲートドライバ１９等の制御を行う。
【００１７】
バックライト制御部１５は、各表示エリアＨＡＲに含まれる全てのフレームデータＤＦから該表示エリアＨＡＲ内で想定される最大の表示輝度を求めるとともに、これに基づいて該表示エリアＨＡＲに対応する照明エリアＬＡＲの１フレームあたりの光量を決定し、これをデータＤＢＬとしてサブフレームデータ生成部２２に出力する。さらに、バックライト制御部１５は、この決定された光量に基づいて該照明エリアＬＡＲの１フレームあたりの光量を調整（設定）する。本液晶表示装置８０では、各照明エリアＬＡＲの照明輝度を一定とし、１フレーム期間における発光時間（すなわち、１フレーム期間の内何パーセントを点灯させるのか）を変えることで各照明エリアＬＡＲの１フレームあたりの光量を調整する。
【００１８】
サブフレームデータ生成部２２は、フレームデータＤＦと、バックライト制御部１５が決定した各照明エリアＬＡＲの１フレームあたりの光量（データＤＢＬ）とに基づいて、第１サブフレームデータＤＳＦ１および第２サブフレームデータＤＳＦ２を生成する。
【００１９】
この第１サブフレームデータＤＳＦ１および第２サブフレームデータＤＳＦ２はサブフレームデータ選択部２５に入力され、このサブフレームデータ選択部２５では、これらデータＤＳＦ１・ＤＳＦ２が倍速（例えば、１２０Ｈｚ）で入れ替わることになる。なお、フィールドカウンタ部３５は、第１サブフレームのタイミングか、あるいは第２サブフレームのタイミングかを判定し、その判定結果をサブフレームデータ選択部２５に出力する。
【００２０】
サブフレームデータ選択部２５は、フィールドカウンタ部３５の判定結果に基づいて、第１サブフレームの開始タイミングで第１サブフレームデータＤＳＦ１をソースドライバ３に出力し、第２サブフレームの開始タイミングで第２サブフレームデータＤＳＦ２をソースドライバ３に出力する。
【００２１】
ソースドライバ３は、各サブフレームデータ（ＤＳＦ１・ＤＳＦ２）をアナログの電位信号に変換し、この電位信号によって液晶パネル１０の各ソースライン（データ信号線）を駆動する。また、ゲートドライバ１９は、液晶パネル１０のゲートライン（走査信号線）を駆動する。
【００２２】
以下に、照明エリアＬＡＲの１フレームあたりの光量と、第１サブフレームデータＤＳＦ１および第２サブフレームデータＤＳＦ２の具体的設定例について、図２、図４（ａ）〜（ｃ）、図５、および図６（ａ）〜（ｃ）を用いて具体的に説明する。
【００２３】
まず、図２の表示エリアＨＡＲ１について図４（ａ）〜（ｃ）を用いて説明する。表示エリアＨＡＲ１では、想定される最大の表示輝度が月の部分の８０（光透過率８０パーセント）である。また、表示エリアＨＡＲ１における飛行機の羽部分は、表示輝度１０（光透過率１０パーセント）が想定され、表示エリアＨＡＲ１における他の部分（空部分）は、表示輝度６０（光透過率６０パーセント）が想定される。
【００２４】
そして、表示エリアＨＡＲ１で想定される最大の表示輝度が８０であるため、バックライト制御部１５は、照明エリアＬＡＲ１の１フレームあたりの光量を８０に決定する。すなわち、バックライト制御部１５は、照明エリアＬＡＲ１の発光時間を０．８フレーム分に設定し、フレーム開始から０．２フレーム期間は非発光状態とし、残りの０．８フレーム期間を発光状態とする。
【００２５】
サブフレームデータ生成部２２は、上記バックライト制御部１５の設定（光量８０）とフレームデータＤＦとに基づいて、第１サブフレームデータＤＳＦ１および第２サブフレームデータＤＳＦ２を生成する。これを図４（ａ）〜（ｃ）に模式的に示す。
【００２６】
図４（ａ）に示すように、サブフレームデータ生成部２２は、表示エリアＨＡＲ１における月部分（想定される表示輝度が８０の部分）について、光透過率１００パーセントを示す第１サブフレームデータＤＳＦ１および光透過率１００パーセントを示す第２サブフレームデータＤＳＦ２を生成する。ここで、フレーム開始から０．２フレーム期間は照明エリアＬＡＲ１が非発光状態であるため、表示エリアＨＡＲ１側の光透過率が１００パーセントに設定されていても表示輝度は０となる。また、残りの０．８フレーム期間は照明エリアＬＡＲ１が発光状態であるため、表示エリアＨＡＲ１側の光透過率が１００パーセントであれば表示輝度も１００となる。これを模式的に表せば図４（ａ）の本願構成となり、照明エリアＬＡＲ１の光量を抑えつつサブフレーム表示を行えることがわかる。
【００２７】
また、図４（ｂ）に示すように、サブフレームデータ生成部２２は、表示エリアＨＡＲ１における空部分（想定される表示輝度が６０の部分）について、光透過率３３パーセントを示す第１サブフレームデータＤＳＦ１および光透過率１００パーセントを示す第２サブフレームデータＤＳＦ２を生成する。ここで、フレーム開始から０．２フレーム期間は照明エリアＬＡＲ１が非発光状態であるため、表示エリアＨＡＲ１側の光透過率が３３パーセントに設定されていても表示輝度は０となる。また、残りの０．８フレーム期間は照明エリアＬＡＲ１が発光状態であるため、表示エリアＨＡＲ１側の光透過率が３３パーセントであれば表示輝度も３３、光透過率が１００パーセントであれば表示輝度も１００となる。これを模式的に表せば図４（ｂ）の本願構成となり、照明エリアＬＡＲ１の光量を抑えつつサブフレーム表示を行えることがわかる。
【００２８】
また、図４（ｃ）に示すように、サブフレームデータ生成部２２は、表示エリアＨＡＲ１における羽部分（想定される表示輝度が１０の部分）について、光透過率０パーセントを示す第１サブフレームデータＤＳＦ１および光透過率２０パーセントを示す第２サブフレームデータＤＳＦ２を生成する。ここで、フレーム開始から０．２フレーム期間は照明エリアＬＡＲ１が非発光状態であるため（表示エリアＨＡＲ１側の光透過率も０パーセント）表示輝度は０となる。また、残りの０．８フレーム期間は照明エリアＬＡＲ１が発光状態であるため、表示エリアＨＡＲ１側の光透過率が０パーセントであれば表示輝度も０、光透過率が２０パーセントであれば表示輝度も２０となる。これを模式的に表せば図４（ｃ）の本願構成となり、照明エリアＬＡＲ１の光量を抑えつつサブフレーム表示を行えることがわかる。加えて、第１サブフレームでは、その前半部分（０．２フレーム期間）において照明エリアＬＡＲ１が非発光状態となっているため、光漏れ等がなく、表示輝度を確実に０にできる。
【００２９】
次に、図２の表示エリアＨＡＲ２について説明する。表示エリアＨＡＲ２はベタ表示となっており、想定される最大の表示輝度は０（光透過率０パーセント）である。
【００３０】
そして、表示エリアＨＡＲ２で想定される最大の表示輝度が０（光透過率０パーセント）であるため、バックライト制御部１５は、照明エリアＬＡＲ２の１フレームあたりの光量を０に決定する。すなわち、バックライト制御部１５は、フレーム期間中、常に非発光状態とする。
【００３１】
サブフレームデータ生成部２２は、上記バックライト制御部１５の設定（光量０）と表示エリアＨＡＲ２のフレームデータＤＦとに基づいて、第１サブフレームデータＤＳＦ１および第２サブフレームデータＤＳＦ２を生成する。これを図５に模式的に示す。
【００３２】
図５に示すように、サブフレームデータ生成部２２は、表示エリアＨＡＲ２に（想定される表示輝度が０の部分）について、光透過率０パーセントを示す第１サブフレームデータＤＳＦ１および光透過率０パーセントを示す第２サブフレームデータＤＳＦ２を生成する。これを模式的に表せば図５の本願構成となり、照明エリアＬＡＲ２の光量を０にしつつサブフレーム表示を行えることがわかる。
【００３３】
ついで、図２の表示エリアＨＡＲ３について図６（ａ）および図６（ｂ）を用いて説明する。表示エリアＨＡＲ３では、想定される最大の表示輝度が木の背景部分の４０（光透過率４０パーセント）である。また、表示エリアＨＡＲ３における木の部分は、表示輝度２０（光透過率２０パーセント）が想定される。
【００３４】
そして、表示エリアＨＡＲ３で想定される最大の表示輝度が４０であるため、バックライト制御部１５は、照明エリアＬＡＲ３の１フレームあたりの光量を４０に決定する。すなわち、バックライト制御部１５は、照明エリアＬＡＲ３の発光時間を０．４フレーム分に設定し、フレーム開始から０．６フレーム期間は非発光状態とし、残りの０．４フレーム期間を発光状態とする。
【００３５】
サブフレームデータ生成部２２は、上記バックライト制御部１５の設定（光量４０）とフレームデータＤＦとに基づいて、第１サブフレームデータＤＳＦ１および第２サブフレームデータＤＳＦ２を生成する。これを図６（ａ）・図６（ｂ）に模式的に示す。
【００３６】
図６（ａ）に示すように、サブフレームデータ生成部２２は、表示エリアＨＡＲ３における木の背景部分（想定される表示輝度が４０の部分）について、光透過率０パーセントを示す第１サブフレームデータＤＳＦ１および光透過率１００パーセントを示す第２サブフレームデータＤＳＦ２を生成する。ここで、フレーム開始から０．６フレーム期間は照明エリアＬＡＲ３が非発光状態であるため（表示エリアＨＡＲ３側の光透過率が０パーセント）表示輝度は０となる。また、残りの０．４フレーム期間は照明エリアＬＡＲ３が発光状態であるため、表示エリアＨＡＲ３側の光透過率が１００パーセントであれば表示輝度も１００となる。これを模式的に表せば図６（ａ）の本願構成となり、照明エリアＬＡＲ３の光量を抑えつつサブフレーム表示を行えることがわかる。加えて、第１サブフレームでは、照明エリアＬＡＲ３が非発光状態となっているため、光漏れ等がなく、表示輝度を確実に０にできる。
【００３７】
また、図６（ｂ）に示すように、表示エリアＨＡＲ３における木の部分（想定される表示輝度が２０の部分）においては、光透過率０パーセントを示す第１サブフレームデータＤＳＦ１および光透過率５０パーセントを示す第２サブフレームデータＤＳＦ２を生成する。ここで、フレーム開始から０．６フレーム期間は照明エリアＬＡＲ３が非発光状態であるため（表示エリアＨＡＲ３側の光透過率も０）表示輝度は０となる。また、残りの０．４フレーム期間は照明エリアＬＡＲ３が発光状態であるため、表示エリアＨＡＲ３側の光透過率が５０パーセントであれば表示輝度も５０パーセントとなる。これを模式的に表せば図６（ｂ）の本願構成となり、照明エリアＬＡＲ３の光量を抑えつつサブフレーム表示を行えることがわかる。加えて、第１サブフレームでは、照明エリアＬＡＲ３が非発光状態となっているため、光漏れ等がなく、表示輝度を確実に０にできる。
【００３８】
ここで、照明エリアの光量および各サブフレームデータの設定方法の一例について説明しておく。なお、各照明エリアの最大光量を１００とする。
【００３９】
表示エリアＨＡＲｎで想定される最大の表示輝度Ｒｍａｘが５０（光透過率５０パーセント）以下であれば、対応する照明エリアの光量をＲｍａｘとし、各入力データに対して、光透過率０パーセントを示す第１サブフレームデータＤＳＦ１と、光透過率Ｘ（Ｘ＝入力データが想定する表示輝度÷Ｒｍａｘ×１００）パーセントを示す第２サブフレームデータＤＳＦ２を生成する。なお、光量がＲｍａｘであれば、１フレーム期間のうちその開始から（１００−Ｒｍａｘ）÷１００フレーム期間は照明エリアＬＡＲｎを（連続して）非発光状態とし、残りＲｍａｘ÷１００フレーム期間は照明エリアＬＡＲｎを（連続して）発光させる。
【００４０】
例えば、表示エリアＨＡＲｎで想定される最大の表示輝度が４０（光透過率４０パーセント）、各入力データが想定する表示輝度が２０（光透過率２０パーセント）であれば、照明エリアＬＡＲｎの光量を４０とし、光透過率０パーセントを示す第１サブフレームデータＤＳＦ１と、光透過率５０（２０÷４０×１００）パーセントを示す第２サブフレームデータＤＳＦ２を生成する。また、光量が４０なので、１フレーム期間のうちその開始から（１００−４０）÷１００＝０．６フレーム期間は照明エリアＬＡＲｎを（連続して）非発光状態とし、残り４０÷１００＝０．４フレーム期間は照明エリアＬＡＲｎを（連続して）発光させる。
【００４１】
一方、表示エリアＨＡＲｎで想定される最大の表示輝度Ｒｍａｘが５０（光透過率５０パーセント）より大きければ、対応する照明エリアの光量をＲｍａｘとし、対象部分に想定される表示輝度が５０（光透過率５０パーセント）以下であれば、光透過率０パーセントを示す第１サブフレームデータＤＳＦ１と、光透過率Ｘ（Ｘ＝対象部分に想定される表示輝度÷５０×１００）パーセントを示す第２サブフレームデータＤＳＦ２を生成する。なお、光量がＲｍａｘであれば、１フレーム期間のうちその開始から（１００−Ｒｍａｘ）÷１００フレーム期間は照明エリアＬＡＲｎを（連続して）非発光状態とし、残りＲｍａｘ÷１００フレーム期間は照明エリアＬＡＲｎを（連続して）発光させる。
【００４２】
例えば、表示エリアＨＡＲｎで想定される最大の表示輝度が８０（光透過率８０パーセント）、対象部分に想定される表示輝度が１０（光透過率１０パーセント）であれば、照明エリアＬＡＲｎの光量を８０とし、光透過率０パーセントを示す第１サブフレームデータＤＳＦ１と、光透過率２０（１０÷５０×１００）パーセントを示す第２サブフレームデータＤＳＦ２を生成する。また、光量が８０なので、１フレーム期間のうちその開始から（１００−８０）÷１００＝０．２フレーム期間は照明エリアＬＡＲｎを（連続して）非発光状態とし、残り８０÷１００＝０．８フレーム期間は照明エリアＬＡＲｎを（連続して）発光させる。
【００４３】
また、表示エリアＨＡＲｎで想定される最大の表示輝度Ｒｍａｘが５０（光透過率５０パーセント）より大きく、かつ、対象部分に想定される表示輝度が５０（光透過率５０パーセント）より大きければ、光透過率Ｘ（Ｘ＝（対象部分に想定される表示輝度−５０）÷（Ｒｍａｘ−５０）×１００）を示す第１サブフレームデータＤＳＦ１と、光透過率１００パーセントを示す第１サブフレームデータＤＳＦ１とを生成する。
【００４４】
例えば、表示エリアＨＡＲｎで想定される最大の表示輝度が８０（光透過率８０パーセント）、対象部分に想定される表示輝度が６０パーセントであれば、照明エリアＬＡＲｎの光量を６０とし、光透過率３３（（６０−５０）÷（８０−５０）×１００）パーセントを示す第１サブフレームデータＤＳＦ１と、光透過率１００パーセントを示す第２サブフレームデータＤＳＦ２と、を生成する。また、光量が８０なので、０．２フレーム期間は照明エリアＬＡＲｎを（連続して）非発光状態とし、残り０．８フレーム期間は照明エリアＬＡＲｎを（連続して）発光させる。
【００４５】
なお、図１における制御部９の各部（例えば、バックライト制御部１５やサブフレームデータ生成部２２）の機能は、ハードウェアロジックで実現することもできるし、ソフトウェアで実現することもできる。
【００４６】
なお、バックライト制御部１５は照明エリアＬＡＲの１フレームあたりの光量を決定するが、この決定に際しては、クローストークの影響を考慮することが好ましい。バックライトの光量を照明エリア毎に変えると、照明エリア間のクロストーク（隣接する表示エリアからの照明光の回り込み）によって、ある表示エリアを照明する光に、隣接する照明エリアからの光が含まれてしまうという現象が生ずる。そこで、バックライト制御部１５は、各表示エリアＨＡＲ内で想定される最大の表示輝度から各照明エリアＬＡＲの１フレームあたりの光量を一旦求めておき、さらに、隣接する表示エリアの光量に基づいて該照明エリアＬＡＲの光量を最終的に決定する。具体的には、一旦求められた各照明エリアＬＡＲの光量をＬＵＴ（ルッキングアップテーブル）を用いて補正する。このＬＵＴには、対象となる照明エリアの光量とそれに隣接する照明エリアの光量との組み合わせに応じて光量補正データが格納される。なお、バックライト制御部１５は、最終的に決定した光量をデータＤＢＬとしてサブフレームデータ生成部２２に出力する。
【００４７】
なお、エリアアクティブバックライト２９に、Ｒ、Ｇ、Ｂの各ＬＥＤを用いることもできる。この場合、各表示エリアＨＡＲ内で想定される最大の表示輝度（Ｒ、Ｇ、Ｂ）から、各照明エリアＬＡＲの１フレームあたりの光量を、Ｒ、Ｇ、Ｂそれぞれについて決定する。そして、サブフレームデータ生成部２２は、この決定されたＲ、Ｇ、Ｂそれぞれの光量とフレームデータＤＦ（Ｒ、Ｇ、Ｂデータ）とに基づいて、第１サブフレームデータＤＳＦ１および第２サブフレームデータＤＳＦ２を生成する。
【産業上の利用可能性】
【００４８】
本発明の表示装置は、例えば液晶テレビや液晶モニタに好適である。
【図面の簡単な説明】
【００４９】
【図１】本実施の形態に係る液晶表示装置の構成を示すブロック図である。
【図２】本液晶表示装置の表示部の構成を示す模式図である。
【図３】エリアアクティブバックライト構成を示す模式図である。
【図４】（ａ）〜（ｃ）は、本液晶表示装置におけるエリアアクティブバックライトの設定例とサブフレームデータの生成例を示す模式図である。
【図５】本液晶表示装置におけるエリアアクティブバックライトの設定例とサブフレームデータの生成例を示す模式図である。
【図６】（ａ）・（ｂ）は、本液晶表示装置におけるエリアアクティブバックライトの設定例とサブフレームデータの生成例を示す模式図である。
【図７】（ａ）〜（ｃ）は、従来の液晶表示装置におけるバックライトの設定例とサブフレームデータの生成例を示す模式図である。
【符号の説明】
【００５０】
３  ソースドライバ
６  メモリ
９  制御部
１０  液晶パネル
１５  バックライト制御部
１９  ゲートドライバ
２２  サブフレームデータ生成部
２５  サブフレームデータ選択部
２９  エリアアクティブバックライト
８０  液晶表示装置
ＤＦ  フレームデータ
ＤＳＦ１  第１サブフレームデータ
ＤＳＦ２  第２サブフレームデータ
表示エリア  ＨＡＲ
照明エリア  ＬＡＲ
【図１】
2008064997.tif 000003
【図２】
2008064997.tif 000004
【図３】
2008064997.tif 000005
【図４】
2008064997.tif 000006
【図５】
2008064997.tif 000007
【図６】
2008064997.tif 000008
【図７】
2008064997.tif 000009